(57)【要約】【課題】  良好な作業性を有すると共に、環境に優しく、毒性が少なく安全で、植物体の徒長を確実に抑制することにより優れた矮化効果を発揮し、園芸作物や農作物の品質を高めることができる植物成長調節剤を提供すること。【解決手段】  桂皮酸を高濃度で水系媒体に分散あるいは溶解してなる植物成長調節剤。【選択図】  なし【特許請求の範囲】
【請求項１】
桂皮酸を含有することを特徴とする植物成長調節剤。
【請求項２】
桂皮酸が、水系媒体中に分散してなる請求項１に記載の植物成長調節剤。
【請求項３】
分散剤を含有し、該分散剤によって桂皮酸が水系媒体中に分散されている請求項２に記載の植物成長調節剤。
【請求項４】
前記分散剤が、リグニンスルホン酸塩またはカルボキシメチルセルロースである請求項３に記載の植物成長調節剤。
【請求項５】
桂皮酸が、その水に対する最大溶解度を超える濃度に、桂皮酸塩として水系媒体中に溶解している請求項１に記載の植物成長調節剤。
【請求項６】
桂皮酸が、アルカリ性溶解助剤の水溶液に溶解してなる請求項５に記載の植物成長調節剤。
【請求項７】
前記溶解助剤が、トリポリリン酸ナトリウム、水酸化カリウム、炭酸カリウムおよび酢酸ナトリウムからなる群から選択される少なくとも１種である請求項６に記載の植物成長調節剤。
【請求項８】
桂皮酸濃度が、２５質量％以下である請求項１に記載の植物成長調節剤。
【請求項９】
植物が、ポインセチア、ゼラニウム、ハイドランジア、キク、ユリ、アサガオおよびペチュニアからなる群から選ばれる少なくとも１種の苗である請求項１に記載の植物成長調節剤。
【請求項１０】
植物が、ハクサイ、キャベツ、にんじん、ネギ、玉ネギ、チンゲンサイ、大根、レタス、さやえんどう、カリフラワー、ブロッコリー、ごぼう、二十日大根、蕪、トマト、きゅうり、ナス、かぼちゃ、スイカ、プリンスメロン、まくわうりおよびメロンからなる群から選ばれる少なくとも１種の苗である請求項１に記載の植物成長調節剤。
【請求項１１】
桂皮酸と水系媒体とを分散メディアの存在下に混合分散することを特徴とする植物成長調節剤の製造方法。
【請求項１２】
アルカリ性溶解助剤の水溶液に桂皮酸を溶解させることを特徴とする植物成長調節剤の製造方法。
【請求項１３】
請求項１に記載の植物成長調節剤を、植物の苗が栽培されている用土１００質量部当たり桂皮酸として０．０００１〜０．２質量部の割合で使用することを特徴とする植物苗の矮化方法。
【発明の詳細な説明】
【技術分野】
【０００１】
本発明は、植物の矮化（矮小化）に有効な植物成長調節剤に関する。さらに詳しくは、園芸作物については該作物の徒長（無駄に伸びること）を抑制し、該作物の形態を整えることにより、該作物の商品価値を向上させ、農作物については該作物の苗の徒長を防止し、省スペースでの育苗を実現することにより農作物の生産性を改善し、加えて病原菌による苗の根腐れや葉の枯死の予防にも有効な、安全性の高い植物成長調節剤およびその製造方法に関する。
【背景技術】
【０００２】
従来から作物（以下「植物」ともいう）の矮化は各方面で注目され、研究されてきた。例えば、鉢に植えられた作物、すなわち植物は、鉢と植物とのバランスが大切であり、一般的には生育状態のしまった、草丈の短い植物からなる鉢物が高品質とされており、鉢物の高品質生産のためには植物の適切な矮化技術が必須である。また、農業分野の野菜栽培においては多数の鉢（セル）を用いて植物の苗を育成して使用する技術（セル成型苗）の利用が急増している。しかし、セル成型苗は高密度に苗を生産するために苗が徒長しやすく、この徒長防止策としての有効な苗の矮化技術が求められている。このように今日では園芸・農業両分野において植物の矮化技術が必要不可欠なものとなっている。
【０００３】
植物の矮化技術（特許文献１）には、植物矮化剤の使用、植物に与える肥料成分の減少、植物に対する潅水の制限、植物に対する送風や接触刺激、植物に塩分ストレスを与える技術などがあるが、これらの技術の内では、手間やコスト、そして効果の再現性、さらには実施の際の簡便性を考慮すると、前記の矮化剤の使用が有利である。
【０００４】
現在、植物の矮化によく使用される薬剤には、ダミノジット剤、クロルメコート液剤、パクロブトラゾール粒剤、ウニコナゾール剤などがあるがこれらの薬剤は、いずれも合成化合物を主成分とする化学農薬であり、これらの中には変異原性が報告されているものもある。また、過剰使用の際に薬害が心配されるものも少なくない。これらの内、多くの化学農薬は使用濃度に依存する薬効成分であるため、薬害の回避方法や使用時期の選定などに知識と経験が必要とされ、その使用には細心の注意が必要となるばかりでなく、実際に薬害や環境汚染の発生が現実的なものとなる危惧も生じている。
【０００５】
しかしながら、薬害や環境汚染の発生の恐れのない矮化剤の提案は見当たらず、環境に優しく、人体に安全で、しかも低コストかつ簡便で作業性の良好な矮化剤の開発が強く望まれている。
【特許文献１】特開２００３−０１８９１９公報
【発明の開示】
【発明が解決しようとする課題】
【０００６】
上記の事情に鑑みてなされた本発明の目的は、良好な作業性を有するとともに、環境に優しく、毒性が少なく安全で、植物の徒長を確実に抑制することにより優れた矮化効果を発揮し、園芸作物や農作物の品質を高めることができる植物成長調節剤を提供することである。
【課題を解決するための手段】
【０００７】
本発明者らは、上記の目的を達成するために鋭意研究を重ねた結果、桂皮酸が園芸作物や農作物の徒長を良好に防止し、優れた矮化剤として機能することを見出し、本発明を完成させるに至った。すなわち、本発明によれば、桂皮酸を含有することを特徴とする植物成長調節剤およびその製造方法が提供される。
【発明の効果】
【０００８】
本発明によれば、良好な作業性を有するとともに、環境に優しく、毒性が少なく安全で、植物の徒長を確実に抑制することにより優れた矮化効果を発揮し、園芸作物や農作物の品質を高めることができる植物成長調節剤が提供される。
【発明を実施するための最良の形態】
【０００９】
次に好ましい実施の形態を挙げて本発明をさらに詳しく説明する。
本発明で植物成長調節剤として使用される桂皮酸は、天然に存在する植物関連の物質であり、さらに食品添加物でもあるので、極めて安全性が高い物質である。桂皮酸は、抗菌・防黴作用をも有する（特開平５−１１７１２５号公報）ことから、本発明の植物成長調節剤は、植物の矮化のみならず、植物周辺の環境衛生の保持にも効果を発揮する。
【００１０】
本発明における矮化の対象植物としては、園芸作物では、例えば、ポインセチア、ゼラニウム、ハイドランジア、キク、ユリ、アサガオ、ペチュニアなどの苗が挙げられるが、特に、本発明の植物成長調節剤は、ポインセチアおよびゼラニウムの苗に対して効果が大きい。また、農作物では、広く野菜類が対象植物として挙げられるが、本発明の植物成長調節剤は、例えば、ハクサイ、キャベツ、にんじん、ネギ、玉ネギ、チンゲンサイ、大根、レタス、さやえんどう、カリフラワー、ブロッコリー、ごぼう、二十日大根、蕪、トマト、きゅうり、ナス、かぼちゃ、スイカ、プリンスメロン、まくわうり、メロンなどの苗に対し効果が大きい。
【００１１】
一般に、矮化剤は葉や茎から矮化成分が吸収される葉面散布剤と、根から矮化成分が吸収されて矮化効果を発現する土壌潅注剤とに分けられる。葉面散布剤は、矮化剤を２００倍前後の水で希釈し、得られた水溶液（０．５質量％）を、霧吹きで葉面に散布する。新芽が伸び始めたころに処理するのが効果的であるが、植物によっては効果が発現されないものもある。また、葉面や茎の表面に薬剤が残留するので、当該植物に接触することにより人体に薬剤が移行することがあり、薬剤の毒性が高い場合は安全性が問題となる。一方、土壌潅注剤は土壌もしくは栽培土に薬剤を直接施すもので、比較的矮化効果を発現しやすく、葉面散布剤で効果が発現されない場合は土壌潅注剤が用いられる。また、土壌潅注剤は植物表面には薬剤の付着が無いので、植物表面から人体への薬剤の移行は考慮する必要がない。
【００１２】
本発明の植物成長調節剤は、植物中に自然に存在する物質である桂皮酸を主成分としており、極めて安全性が高いので、葉面散布剤としても土壌潅注剤としても用いられる。特に、土壌潅注剤として用いた場合により矮化効果が期待できる。主成分である桂皮酸は食品添加物であり、しかも化学合成物質を主成分とした矮化剤に散見される変異原性や環境ホルモンとしての疑いも認められていないので、極めて高い安全性を具備している。
【００１３】
一般に矮化剤をその作用性の観点から分類すると、抗オーキシン性と抗ジベレリン性に分けられるが、本発明の植物成長調節剤は抗オーキシン性を示す。すなわち、本発明の植物成長調節剤の主成分である桂皮酸が細胞の分裂と伸長に関与する植物ホルモンであるオーキシンの作用を撹乱し、細胞分裂の抑制、呼吸作用の異常増進などが生じ、節間伸長が抑制されて矮化効果が発現されると推定される。本発明の植物成長調節剤は、節間伸長を抑制することにより、草姿を改善した高品位化鉢物の生産を可能とし、セル成型野菜苗の徒長を防止できる他、着花促進効果をも有しているので利用価値が高い。
【００１４】
本発明の植物成長調節剤は、例えば、それを種々の形態で植物に散布するか、またはその水溶液や分散液などに植物の根や茎を浸すことにより、あるいは当該植物が元々その根の周辺に存在する水溶液や分散液中の桂皮酸を吸い上げることにより、矮化剤として作用する。矮化剤（桂皮酸）は茎、葉、または根部から吸収されて、植物内を移行して矮化効果を発揮する。矮化剤は植物に散布後、植物全体に移行するため、矮化剤の多少のかけむらは許容される。
【００１５】
本発明の植物成長調節剤の使用形態は、特に制限されないが、上記の植物成長調節物質である桂皮酸を水に易分散性の粉体あるいは顆粒状などとして、また、上記の植物成長調節物質を、水や他の溶剤に溶解、乳化、分散あるいは懸濁させた溶液、乳化液、あるいは分散液などの液体状で使用される。
【００１６】
上記桂皮酸を液体状として使用する場合には、桂皮酸を含む液を予め所定の濃度に希釈したものでも、桂皮酸を含む濃厚液として、その使用時に希釈して使用するものでもよい。さらに必要により展着剤や他の植物成長調節剤、矮化剤やその他の添加剤などと混合して用いることができる。また、上記の桂皮酸をシクロデキストリンなどとの包接化合物として、ゼオライト、シリカなどの担体に担持させた粉体、もしくはその懸濁液としても使用できる。
【００１７】
本発明の植物成長調節剤の使用量は特に制限されないが、特に効果的な使用量は、栽培用用土（肥料、添加剤も含めて）１００質量部当たり桂皮酸として０．０００１〜０．２質量部となる量である。使用量が多すぎると植物の成育に悪い影響を与える場合があり、少なすぎると十分な効果が発揮されない場合がある。
【００１８】
本発明の好ましい実施形態である植物成長調節剤としての水性分散液は、分散剤を使用する一般的に知られている分散方法により製造することができる。例えば、桂皮酸を分散剤および水と混合し、この混合物をサンドミルなどの分散機のベッセルに入れ、１２０ｒｐｍの回転数で３時間ほど分散処理をすることで水性分散液の形態の植物成長調節剤が得られる。
【００１９】
本発明において用いられるサンドミルとしては、例えば、円筒状容器内に分散メディアとして小径（０．２〜５．０ｍｍ程度）の球状のものを内容積の３０〜９５％に充填し、さらに容器内部に分散メディアを攪拌する回転機構を備えている構造のものである。円筒状容器の容積は０．３〜２５０リットル、容器の材質としては、例えば、安定化ジルコニア、アルミナ、ゴムなどが好ましく、分散メディアの材質としては、例えば、安定化ジルコニウム、アルミナ、ガラスビーズなどが使用できる。使用条件としては、例えば、回転数は３００〜３０００ｒｐｍであり、桂皮酸はスラリー供給量０．２〜５０００ｍｌ／分で供給され、必要に応じて分散液は複数回分散機を通すことが望ましい。
【００２０】
水系媒体としては、水、水と水に可溶性のアルコール類、ケトン類、エステル類、エタノールアミン類などの有機溶剤との混合溶剤が使用されるが、水が特に好ましい。また、分散液中の桂皮酸の平均粒子径は特に限定されないが、３μｍ以下が好ましい。
【００２１】
本発明に用いる分散剤としては、従来から水系媒体で使用される分散剤であれば、いずれの分散剤も使用可能である。例えば、天然物系、無機化合物系、重合物系、または特殊界面活性剤系が用いられる。天然物系としては、例えば、リグニンスルホン酸塩やカルボキシメチルセルロース（ＣＭＣ）などが、無機化合物系としては、例えば、ヘキサメタリン酸塩などの縮合リン酸塩などが、重合物系としては、例えば、ポリアクリル酸塩、アクリル酸−マレイン酸共重合物の塩、オレフィン−マレイン酸共重合物の塩などが挙げられる。特殊界面活性剤としては、例えば、アルキルジフェニルエーテルジスルホン酸塩や多環の特殊非イオン界面活性剤などが用いられる。
【００２２】
また、水系分散剤としては、天然物由来の陰イオン系、陽イオン系、非イオン系、または両性系の各種界面活性剤が用いられる。陰イオン系活性剤としては、例えば、ヒマシ油、ナタネ油、オリーブ油のような油脂類の硫酸化塩および硫酸エステル化塩、マレイン酸と高級アルコールのエステルに硫酸を付加したエアロゾル型界面活性剤、脂肪酸クロリドとアミンスルホン酸であるタウリンを縮合させて得られるアミド硫酸化塩、ナフタリン系硫酸化塩、α−オレフィン硫酸化塩などが挙げられる。
【００２３】
陽イオン系活性剤としては、例えば、アルキルアミンの酢酸塩、アルキルアミンの塩酸塩、アルキルジエタノールアミン塩などの第１級〜第３級アミン塩、アルキルジメチルベンジルアンモニウムクロライドなどの４級アンモニウム塩、ピリジニウム塩などが挙げられる。
【００２４】
非イオン（ノニオン）系活性剤としては、例えば、グリセリン、ソルビトール、ソルビタン、ショ糖など、多価アルコールの脂肪酸エステルなどの脂肪族のポリオキシエチレンエステル、高級アルコール、アルキルフェノール、ヒマシ油、ポリオキシプロピレンなどのポリオキシエチレンエーテル、ソルビトール、ソルビタン脂肪酸エステルのポリオキシエチレン付加物などの酸化エチレン重合付加型活性剤、モノエタノールアミン縮合物、ジエタノールアミン縮合物などの脂肪酸のアルキロールアマイド型活性剤などが挙げられる。
【００２５】
両性イオン系活性剤としては、例えば、ベタイン型活性剤、ドデシルジアミノエチルグリシン塩酸塩、Ｎ−テトラデシルタウリンソーダ塩などのアミノ酸型活性剤が用いられる。上記の例示分散剤の内で特に好ましいものは、環境汚染の心配の少ないリグニンスルホン酸塩やＣＭＣなどの天然物系分散剤である。
【００２６】
本発明の植物の矮化方法の実施に際しては、例えば、純分３０質量％程度の桂皮酸の分散液を調製し、使用時に該分散液を３０〜３０００倍程度に希釈して使用する。また、純分１０質量％程度の桂皮酸水性分散液の場合は、使用時に該分散液を１０〜１０００倍程度に希釈して使用する。
【００２７】
本発明の植物成長調節剤の主成分である桂皮酸の高濃度水溶液は、桂皮酸が、その水に対する２５℃の飽和溶解度（最大溶解度：０．５４６ｇ／リットル）を超える濃度に水に溶解していることが特徴である。フリーの桂皮酸の水に対する溶解度は上記の通り低いので、高濃度の桂皮酸水溶液が必要である場合には、桂皮酸水溶液の調製に、水溶性の溶解助剤を使用することができる。該溶解助剤を用いることで、桂皮酸がその水に対する２５℃の飽和溶解度を超える高濃度に溶解している桂皮酸水溶液（桂皮酸は塩として溶解している）を調製することができる。
【００２８】
本発明で使用する溶解助剤は、その水溶液がアルカリ性を呈する弱酸と強塩基の塩または塩基であればいずれも使用可能であるが、特にｐＨ緩衝作用を示し、環境汚染の恐れが少なく、人体に安全であるものが好ましい。弱酸と強塩基との塩としては、例えば、トリポリリン酸ナトリウム、トリポリリン酸カリウム、ポリリン酸ナトリウム、ポリリン酸カリウム、リン酸３ナトリウム、リン酸３カリウム、リン酸水素２カリウム、リン酸水素２ナトリウム、炭酸カリウム、炭酸ナトリウム、酢酸ナトリウム、酢酸カリウムなどが、塩基としては、例えば、水酸化ナトリウム、水酸化カリウムなどが好ましいものとして挙げられる。特に好ましい溶解助剤としては、食品添加物に指定されているトリポリリン酸ナトリウム、水酸化カリウム、炭酸カリウムおよび酢酸ナトリウムなどが用いられる。
【００２９】
桂皮酸の高濃度水溶液を製造するに際しては、例えば、溶解助剤の水溶液を予め調製し、これに桂皮酸を加えよく混合して溶解させることにより容易に桂皮酸の高濃度水溶液を得ることができる。溶解助剤の使用量は特に限定されないが、桂皮酸に対して３５〜３００質量％となる量が好ましい。
【００３０】
このように溶解助剤を使用することで桂皮酸の含有量が、室温での水に対するフリーの桂皮酸の最大溶解度を超えて、２５質量％以下の高濃度水溶液が得られる。高濃度水溶液は、その保管スペース、輸送効率などの点から、好ましい濃度は０．５〜２５質量％である。
【００３１】
本発明の桂皮酸の高濃度水溶液からなる植物成長調節剤は、その使用に際しては、一応の目安として、例えば、純分１０質量％程度に調製した高濃度水溶液を、１０〜１０００倍程度に希釈して使用する。
【実施例】
【００３２】
次に実施例を挙げて本発明をさらに具体的に説明する。なお、文中の「％」は質量基準である。
【００３３】
実施例１
（１）０．３％および０．５％桂皮酸水溶液の調製
２０℃にて蒸留水４００ｍｌに水酸化カリウム１８．４ｇを溶解し、この水酸化カリウム溶液に桂皮酸５０ｇを加えて撹拌することにより、溶解し、該溶液を蒸留水にて希釈し全量を５００ｍｌとし、濃度１０％の桂皮酸水溶液（ｐＨ８．８）を作製した。次に、この水溶液を蒸留水にて３３．３倍および２０倍に希釈して、濃度０．３％および０．５％の桂皮酸水溶液を作製した。
【００３４】
（２）ポインセチア苗の矮化試験
草丈約１０ｃｍのポインセチア苗を５号鉢（直径１４．５ｃｍ、深さ１４．５ｃｍ）に定植し、栽培を続けた。４９日目と７８日目に、１鉢当り１００ｍｌの上記の０．３％および０．５％の桂皮酸水溶液をそれぞれ３０鉢の栽培用土に添加し、それぞれ０．３％桂皮酸水溶液添加区、０．５％桂皮酸水溶液添加区とした。また、通常の水やりのみの鉢を３０鉢用意し対照区とした。それぞれの区の鉢の栽培を続け、９３日目に、各栽培鉢の用土面からポインセチア苗の頭頂部までの長さを測定し、下記式で矮化率（％）を算出し、桂皮酸水溶液の矮化効果を調べた（以下の他の実施例も同様である）。
矮化率（％）＝〔（対照区の草丈−添加区の草丈）／対照区の草丈〕×１００  この結果を表１に示す。表１の結果より桂皮酸水溶液はポインセチア苗の矮化に有効であることが明らかになった。
なお、以下の全ての表における「草丈」は、各試験において用いた鉢の用土面から植物の頭頂部までの高さの平均値である。
【００３５】
2004298176.tif 000002
【００３６】
実施例２
（１）０．１％および０．０１％桂皮酸分散液の調製
桂皮酸１６０ｇ、分散剤（リグニンスルホン酸ナトリウム）８０ｇ、水２９３ｇを混合し、さらに１８００ｇのガラスビーズ（直径１〜１．２５ｍｍ）をこれに加え、これを分散機（アールエム社製  並列６筒式テスト用サンドミル）のベッセルに入れ、回転数１２０ｒｐｍにて３時間分散処理を行い、３０％の桂皮酸分散液（桂皮酸の平均粒径は０．３μｍ）を得た。次に、この分散液を蒸留水にて３００倍および３０００倍に希釈し、０．１％および０．０１％の桂皮酸分散液を得た。
【００３７】
（２）ゼラニウム苗の矮化試験
草丈７ｃｍ、葉数１０〜１２枚のゼラニウムの苗３０鉢を購入し、２５℃の組立式室内用アルミ温室（４４０×８４０×１５００ｍｍ）内に置いた。３日目に上記桂皮酸分散液をゼラニウム鉢に添加した。３０鉢の内１０鉢を０．０１％桂皮酸分散液添加区とし、１鉢当り１００ｍｌの上記０．０１％桂皮酸分散液を栽培用土に添加した。また、別の１０鉢を０．１％桂皮酸分散液添加区とし、１鉢当り１００ｍｌの上記０．１％桂皮酸分散液を栽培用土に添加した。残りの１０鉢は対照区として桂皮酸分散液の代わりに１００ｍｌの水を各鉢に添加した。その後は各区の鉢について通常の条件で栽培を続けた。３つの区のゼラニウム鉢について栽培を続けたところ、２４日目に各区の鉢のゼラニウムが開花した。さらに栽培を続け、置床後４４日目に各区の鉢のゼラニウムの草丈を測定し、矮化率（％）を算出し、桂皮酸分散液のゼラニウム苗に対する矮化効果を調べた。この結果を表２に示す。表２の結果より桂皮酸分散液はゼラニウム苗の矮化に有効であることが明らかになった。
【００３８】
2004298176.tif 000003
【００３９】
実施例３
（１）０．１％および０．３％桂皮酸水溶液の調製
２０℃にて蒸留水４００ｍｌに水酸化カリウム１８．４ｇを溶解し、この水酸化カリウム溶液に桂皮酸５０ｇを加えて撹拌することにより、溶解し、該溶液を蒸留水にて希釈し全量を５００ｍｌとし１０％の桂皮酸水溶液（ｐＨ８．８）を作製した。次に、この水溶液を蒸留水にて１００倍および３３．３倍に希釈して、０．１％および０．３％の桂皮酸水溶液を作製した。
【００４０】
（２）ハクサイ苗の矮化試験
家庭用培養土をポリエチレン製連結ポット（３６セル：４５×４５×３０ｍｍ／セル）に充填し、充分に潅水を行った後、ハクサイの種子を播種した。播種後、これらを２５℃の前記と同じ温室内に置いて発芽させた。その後４日目に桂皮酸水溶液を連結ポット中の培養土に添加した。
【００４１】
３６セルの内１２セルを０．１％桂皮酸水溶液添加区とし、１セル当り５ｍｌの上記０．１％桂皮酸水溶液を培養土に添加した。また、別の１２セルを０．３％桂皮酸水溶液添加区とし、１セル当り５ｍｌの上記０．３％桂皮酸水溶液を培養土に添加した。残りの１２セルは対照区として桂皮酸水溶液の代わりに５ｍｌの水を添加した。その後は各区のハクサイ苗について通常の条件で栽培を続けた。２２日目に各区の苗の草丈を測定し、矮化率（％）を算出し、桂皮酸水溶液のハクサイ苗に対する矮化効果を調べた。この結果を表３に示す。表３の結果より桂皮酸水溶液はハクサイ苗の矮化に有効であることが明らかになった。
【００４２】
2004298176.tif 000004
【００４３】
実施例４
（キャベツ苗の矮化試験）
家庭用培養土を前記と同じポリエチレン製連結ポットに充填し、充分に潅水を行った後、キャベツの種子を播種した。播種後、これらを２５℃の前記と同じ温室内に置いて発芽させた。その後、４日目に桂皮酸水溶液を連結ポット中の培養土に添加した。３６セルの内１２セルを０．１％桂皮酸水溶液添加区とし、１セル当り５ｍｌの実施例３の０．１％桂皮酸水溶液を培養土に添加した。また、別の１２セルを０．３％桂皮酸水溶液添加区とし、１セル当り５ｍｌの実施例３の０．３％桂皮酸水溶液を培養土に添加した。残りの１２セルは対照区として桂皮酸水溶液の代わりに５ｍｌの水を添加した。その後は各区のキャベツ苗について通常の条件で栽培を続けた。２２日目に各区の苗の草丈を測定し、矮化率（％）を算出し、桂皮酸水溶液のキャベツ苗に対する矮化効果を調べた。この結果を表４に示す。
表４の結果より桂皮酸水溶液はキャベツ苗の矮化に有効であることが明らかになった。
【００４４】
2004298176.tif 000005
【００４５】
実施例５
（１）０．０５％および０．２％桂皮酸水溶液の調製
８０℃の蒸留水４００ｍｌにトリポリリン酸ナトリウム５０ｇを溶解し、このトリポリリン酸ナトリウム溶液に桂皮酸１７．５ｇを加えて攪拌することにより、溶解し、該溶液を蒸留水にて希釈し全量を５００ｍｌとし、３．５％の桂皮酸水溶液（ｐＨ６．５）を作製した。次に、この水溶液を蒸留水にて７０倍および１７．５倍に希釈し、０．０５％および０．２％の桂皮酸水溶液を作製した。
【００４６】
（２）にんじん苗の矮化試験
家庭用培養土を紙製連結ポット（２４セル：３４×３４×５０ｍｍ／セル）に充填し、充分に潅水を行った後、にんじんの種子を播種した。播種後、これらを２０℃の前記と同じ温室内に置いて発芽させた。その後、５日目に桂皮酸水溶液を連結ポット中の培養土に添加した。１つの連結ポット（２４セル）を０．０５％桂皮酸水溶液添加区とし、１セル当り５ｍｌの上記０．０５％桂皮酸水溶液を培養土に添加した。また、別の連結ポット１つを０．２％桂皮酸水溶液添加区とし、１セル当り５ｍｌの上記０．２％桂皮酸水溶液を培養土に添加した。さらに別の連結ポット１つを対照区として桂皮酸水溶液の代わりに５ｍｌの水を添加した。その後は各区のにんじん苗について通常の条件で栽培を続けた。２７日目に各区の苗の草丈を測定し、矮化率（％）を算出し、桂皮酸水溶液のにんじん苗に対する矮化効果を調べた。この結果を表５に示す。表５の結果より０．０５％および０．２％桂皮酸水溶液はにんじん苗の矮化に有効であることが明らかになった。
【００４７】
2004298176.tif 000006
【００４８】
実施例６
（ネギ苗の矮化試験）
ネギの種子を播種する以外は実施例５と同様にして、桂皮酸水溶液のネギ苗に対する矮化効果を試験した。この結果を表６に示す。表６の結果より桂皮酸水溶液はネギ苗の矮化に有効であることが明らかになった。
【００４９】
2004298176.tif 000007
【００５０】
実施例７
（玉ネギ苗の矮化試験）
玉ネギの種子を播種する以外は実施例５と同様にして、桂皮酸水溶液の玉ネギ苗に対する矮化効果を調べた。この結果を表７に示す。表７の結果より桂皮酸水溶液は玉ネギ苗の矮化に有効であることが明らかになった。
【００５１】
2004298176.tif 000008
【００５２】
実施例８
（チンゲンサイ苗の矮化試験）
チンゲンサイの種子を播種し、２０日目に草丈を測定すること以外は実施例５と同様にして、桂皮酸水溶液のチンゲンサイ苗に対する矮化効果を調べた。この結果を表８に示す。表８の結果より桂皮酸水溶液はチンゲンサイ苗の矮化に有効であることが明らかになった。
【００５３】
2004298176.tif 000009
【００５４】
実施例９
（大根苗の矮化試験）
大根の種子を播種する以外は実施例５と同様にして、桂皮酸水溶液の大根苗に対する矮化効果を調べた。この結果を表９に示す。表９の結果より桂皮酸水溶液は大根苗の矮化に有効であることが明らかになった。
【００５５】
2004298176.tif 000010
【００５６】
実施例１０
（レタス苗の矮化試験）
レタスの種子を播種し、２０日目に各区の苗の草丈を測定する以外は実施例５と同様にして、桂皮酸水溶液のレタス苗に対する矮化効果を調べた。この結果を表１０に示す。表１０の結果より桂皮酸水溶液はレタス苗の矮化に有効であることが明らかになった。
【００５７】
2004298176.tif 000011
【００５８】
実施例１１
（さやえんどう苗の矮化試験）
さやえんどうの種子を播種し、実施例３の０．１％および０．３％桂皮酸水溶液を連結ポット中の培養土に添加し、２４日目に各区の苗の草丈を測定すること以外は実施例５と同様にして、桂皮酸水溶液のさやえんどう苗に対する矮化効果を調べた。この結果を表１１に示す。表１１の結果より桂皮酸水溶液はさやえんどう苗の矮化に有効であることが明らかになった。
【００５９】
2004298176.tif 000012
【００６０】
実施例１２
（カリフラワー苗の矮化試験）
カリフラワーの種子を播種し、４日目に桂皮酸水溶液を連結ポット中の培養土に添加し、２０日目に各区の苗の草丈を測定すること以外は実施例５と同様にして、桂皮酸水溶液のカリフラワー苗に対する矮化効果を調べた。この結果を表１２に示す。表１２の結果より桂皮酸水溶液はカリフラワー苗の矮化に有効であることが明らかになった。
【００６１】
2004298176.tif 000013
【００６２】
実施例１３
（ブロッコリー苗の矮化試験）
ブロッコリーの種子を播種すること以外は実施例１２と同様にして、桂皮酸水溶液のブロッコリー苗に対する矮化効果を調べた。この結果を表１３に示す。表１３の結果より桂皮酸水溶液はブロッコリー苗の矮化に有効であることが明らかになった。
【００６３】
2004298176.tif 000014
【００６４】
実施例１４
（ごぼう苗の矮化試験）
ごぼうの種子を播種すること以外は実施例１２と同様にして、桂皮酸水溶液のごぼう苗に対する矮化効果を調べた。この結果を表１４に示す。表１４の結果より桂皮酸水溶液はごぼう苗の矮化に有効であることが明らかになった。
【００６５】
2004298176.tif 000015
【００６６】
実施例１５
（二十日大根苗の矮化試験）
二十日大根の種子を播種すること以外は実施例１２と同様にして、桂皮酸水溶液の二十日大根苗に対する矮化効果を調べた。この結果を表１５に示す。表１５の結果より桂皮酸水溶液は二十日大根苗の矮化に有効であることが明らかになった。
【００６７】
2004298176.tif 000016
【００６８】
実施例１６
（蕪苗の矮化試験）
色蕪の種子を播種すること以外は実施例１２と同様にして、桂皮酸水溶液の蕪苗に対する矮化効果を調べた。この結果を表１６に示す。表１６の結果より桂皮酸水溶液は蕪苗の矮化に有効であることが明らかになった。
【００６９】
2004298176.tif 000017
【００７０】
実施例１７
（トマト苗の矮化試験）
トマトの種子を播種し、７日目に桂皮酸水溶液を連結ポット中の培養土に添加すること以外は実施例１２と同様にして、桂皮酸水溶液のトマト苗に対する矮化効果を調べた。この結果を表１７に示す。表１７の結果より桂皮酸水溶液はトマト苗の矮化に有効であることが明らかになった。
【００７１】
2004298176.tif 000018
【００７２】
実施例１８
（きゅうり苗の矮化試験）
きゅうりの種子を播種すること以外は実施例１７と同様にして、桂皮酸水溶液のきゅうり苗に対する矮化効果を調べた。この結果を表１８に示す。表１８の結果より桂皮酸水溶液はきゅうり苗の矮化に有効であることが明らかになった。
【００７３】
2004298176.tif 000019
【００７４】
実施例１９
（ナス苗の矮化試験）
ナスの種子を播種、２５日目に草丈を測定すること以外は実施例１７と同様にして、桂皮酸水溶液のナス苗に対する矮化効果を調べた。この結果を表１９に示す。表１９の結果より桂皮酸水溶液はナス苗の矮化に有効であることが明らかになった。
【００７５】
2004298176.tif 000020
【００７６】
実施例２０
（かぼちゃ苗の矮化試験）
かぼちゃの種子を播種すること以外は実施例１７と同様にして、桂皮酸水溶液のかぼちゃ苗に対する矮化効果を調べた。この結果を表２０に示す。表２０の結果より桂皮酸水溶液はかぼちゃ苗の矮化に有効であることが明らかになった。
【００７７】
2004298176.tif 000021
【００７８】
実施例２１
（スイカ苗の矮化試験）
スイカの種子を播種し、２７日目に草丈を測定すること以外は実施例１７と同様にして、桂皮酸水溶液のスイカ苗に対する矮化効果を調べた。この結果を表２１に示す。表２１の結果より桂皮酸水溶液はスイカ苗の矮化に有効であることが明らかになった。
【００７９】
2004298176.tif 000022
【００８０】
実施例２２
（ニューメロン苗の矮化試験）
ニューメロンの種子を播種すること以外は実施例２１と同様にして、桂皮酸水溶液のニューメロン苗に対する矮化効果を調べた。この結果を表２２に示す。表２２の結果より桂皮酸水溶液はニューメロン苗の矮化に有効であることが明らかになった。
【００８１】
2004298176.tif 000023
【００８２】
実施例２３
（まくわうり苗の矮化試験）
まくわうりの種子を播種すること以外は実施例２１と同様にして、桂皮酸水溶液のまくわうり苗に対する矮化効果を調べた。この結果を表２３に示す。表２３の結果より桂皮酸水溶液はまくわうり苗の矮化に有効であることが明らかになった。
【００８３】
2004298176.tif 000024
【００８４】
実施例２４
（プリンスメロン苗の矮化試験）
プリンスメロンの種子を播種すること以外は実施例２１と同様にして、桂皮酸水溶液のプリンスメロン苗に対する矮化効果を調べた。この結果を表２４に示す。表２４の結果より桂皮酸水溶液はプリンスメロン苗の矮化に有効であることが明らかになった。
【００８５】
2004298176.tif 000025
【００８６】
実施例２５
（メロン苗の矮化試験）
メロンの種子を播種し、２５日目に草丈を測定すること以外は実施例１７と同様にして、桂皮酸水溶液のメロン苗に対する矮化効果を調べた。この結果を表２５に示す。表２５の結果より桂皮酸水溶液はメロン苗の矮化に有効であることが明らかになった。
【００８７】
2004298176.tif 000026
【００８８】
実施例２６
（１）０．２％および０．４％桂皮酸水溶液の調製
２０℃にて蒸留水４００ｍｌに水酸化ナトリウム１８．４ｇを溶解し、この水酸化ナトリウム溶液に桂皮酸５０ｇを加えて攪拌することにより、溶解し、該溶液を蒸留水にて希釈し全量を５００ｍｌとし、１０％の桂皮酸水溶液（ｐＨ８．８）を作製した。次に、この水溶液を蒸留水にて５０倍および２５倍に希釈し、０．２％および０．４％の桂皮酸水溶液を作製した。
【００８９】
（２）ハイドランジア苗の矮化試験
ハイドランジア（セイヨウアジサイ）の新芽を３．５号鉢（直径１０．５ｃｍ、深さ８．５ｃｍ）中の用土に挿し木した。挿し木後、栽培を続け、４２日目に摘芯し、苗木を高さ８ｃｍおよび葉数４枚に整え、これを５号鉢（直径１４．５ｃｍ、深さ１４．５ｃｍ）に定植した。この際、１鉢当たり１００ｍｌの上記０．２％および０．４％の桂皮酸水溶液を各８鉢の栽培用土に添加し、それぞれ０．２％桂皮酸水溶液添加区、０．４％桂皮酸水溶液添加区とした。また、通常の水やりのみの鉢を８鉢用意し対照区とした。それぞれの区の苗の栽培を続け、７２日目に、各区の苗木の高さを測定し、矮化率を算出し、桂皮酸水溶液のハイドランジア苗に対する矮化効果を調べた。この結果を表２６に示す。表２６の結果より桂皮酸水溶液はハイドランジア苗の矮化に有効であることが明らかになった。
【００９０】
2004298176.tif 000027
【産業上の利用可能性】
【００９１】
以上の本発明によれば、良好な作業性を有するとともに、環境に優しく、毒性が少なく安全で、植物の徒長を確実に抑制することにより優れた矮化効果を発揮し、園芸作物や農作物の品質を高めることができる植物成長調節剤が提供される。